(57)【要約】【課題】被検者の無効被曝を低減しつつ確実に造影剤時間-濃度曲線（ＴＤＣ）が測定出来るＸ線ＣＴ装置と超音波検査装置を組み合せた血管造影計測撮影システムおよび方法を提供する。【解決手段】Ｘ線ＣＴ装置による造影検査に際して、被検体の関心領域である撮影部位の上流であって撮影部位に先立って造影される造影剤流入経路の近傍のもう1つの関心領域であるモニタリング部位に超音波検査装置のプローブを配設し、被検体へのＸ線造影剤の注入に先立って超音波造影剤を注入し、超音波検査装置のプローブによってモニタリング部位への超音波造影剤の到達を検出し、それをＸ線ＣＴ装置による造影検査の計測撮影を開始するタイミングを決める信号としてＸ線ＣＴ装置に伝達する。【選択図】図１
2005073764.tif 000002
【特許請求の範囲】
【請求項１】
被検体の関心領域である撮影部位の造影画像を撮影するＸ線ＣＴ装置；関心領域である撮影部位に関して上流側の造影剤流入経路近傍のもう1つの関心領域であるモニタリング部位にそのプローブが配設される超音波検査装置；被検体の所定の静脈位置から所定量の超音波造影剤を注入する超音波造影剤注入装置；被検体の上記所定の静脈位置から所定量のＸ線造影剤を注入するＸ線造影剤注入装置；上記超音波造影剤注入装置および上記Ｘ線造影剤注入装置のそれぞれから注入される超音波造影剤およびＸ線造影剤の注入開始時間を制御する注入時間制御部；上記超音波検査装置に設けられもう1つの関心領域であるモニタリング部位への超音波造影剤の到達をプローブを介して検知し外部トリガー信号を生成するトリガー信号生成部；および上記Ｘ線ＣＴ装置に設けられ上記外部トリガー信号を受信する外部信号入力部を有するＸ線ＣＴ装置と超音波検査装置を組み合せた血管造影計測撮影システム。
【請求項２】
上記Ｘ線ＣＴ装置はさらに被検体の関心領域である撮影部位の造影画像の撮影をトリガーする信号をＸ線ＣＴ装置内部で生成された内部トリガー信号あるいは上記超音波検査装置で生成された外部トリガー信号のいづれかを選択する計測モード制御部を有する請求項１に記載のＸ線ＣＴ装置と超音波検査装置を組み合せた血管造影計測撮影システム。
【請求項３】
上記Ｘ線ＣＴ装置は被検体の関心領域である撮影部位の造影画像に基づいて被検体の血流循環パラメーターを解析する血流解析部を有し、また上記超音波検査装置も被検体のもう１つの関心領域であるモニタリング部位の造影画像に基づいて被検体の血流速情報を解析する血流解析部を有し、上記Ｘ線ＣＴ装置の血流解析部で得られた被検体の血流循環パラメーターは上記超音波検査装置の血流解析部で得られた血流速情報を使って補償される請求項１に記載のＸ線ＣＴ装置と超音波検査装置を組み合せた血管造影計測撮影システム。
【請求項４】
Ｘ線ＣＴ装置による被検体の造影計測撮影の関心領域である撮影部位に関して上流側の造影剤流入経路近傍のもう1つの関心領域であるモニタリング部位に超音波検査装置のプローブを配設するステップ；所定量の超音波造影剤を被検体の所定の位置の静脈から注入するステップ；超音波造影剤の注入から所定の時間後被検体の上記所定の位置の静脈から所定量のＸ線造影剤を注入するステップ；上記超音波検査装置のプローブを介して被検体のもう１つの関心領域であるモニタリング部位への超音波造影剤の到達をモニターし、その到達を検知したとき第１のトリガー信号を生成し、それを上記Ｘ線ＣＴ装置に伝達するステップ；および上記超音波検査装置からの上記第１のトリガー信号に基づいて被検体の関心領域である撮影部位への上記Ｘ線造影剤の到達時間を推定し、上記Ｘ線ＣＴ装置による撮影部位の計測撮影の開始をトリガーする第２のトリガー信号を生成するステップを有するＸ線ＣＴ装置と超音波検査装置を組み合せた血管造影計測撮影方法。
【発明の詳細な説明】
【技術分野】
【０００１】
本発明は、Ｘ線ＣＴ装置を使った造影検査システムおよび方法の改良であって、具体的には、Ｘ線ＣＴ装置と超音波検査装置を組み合せた血管造影計測撮影システムおよび方法に関する。
【背景技術】
【０００２】
Ｘ線ＣＴ装置を使った造影検査は、単にコントラストを増加させる目的だけでなく、良性、悪性の確定等の質的診断や血流循環動態を評価するためにも用いられている。
【０００３】
血管の描出などコントラストを増加させる目的の場合は、関心領域における造影剤濃度が最大となる時間にタイミングを合わせて計測を開始する。
【０００４】
肝臓などについて質的診断をする目的の場合は、動脈が優位に造影されている時相や、静脈が優位に造影されている時相などを選択して繰り返し撮影する。しかし、被検体の個体差や病体などによって関心領域への造影剤到達時間はまちまちなため、完璧な撮影条件を決定することは難しい。一般的な手法としては、操作者が被検体の病体などを基に経験的に撮影条件、特にタイミングを決定するため、時として十分なコントラストが得られないことがあった。
【０００５】
Ｘ線ＣＴ装置を使ったもう１つの造影検査である頭部や肝臓などについて行われるパーフュージョン検査は血流の循環動態の評価を目的とするもので、らせんスキャンではなく同一断面を連続的にダイナミック撮影し、撮影断面についての造影剤の時間−濃度変化を取得する。得られた撮影断面中の各組織の造影剤の時間濃度曲線（以下、ＴＤＣ：Time  Density  Curve）から、局所脳血流量（rCBF）、局所脳血液量（rCBV）、平均通過時間（MTT）などの解析値を求め、例えば、解析値の分布画像（機能画像）で閉塞性疾患などを評価する。
【０００６】
パーフュージョン検査の場合は、血流の第１循環成分が解析対象となるため、TDCの立ち上がりから、再循環成分までを含む（第１循環成分を推定できれば良い）データが必要である。一般的にこの撮影時間は40〜50秒間で、造影剤の集中を評価するため造影剤到達に先立って計測を開始する。特にパーフュージョン検査の場合、同一断面にＸ線をくり返し照射するため被曝はできるだけ抑える必要があるにもかかわらずＸ線造影剤注入開始時間とＣＴ撮影開始時間の間のディレイタイムは、TDCの立ち上がりが確実に計測できるように余裕を持って設定する必要があるため、理想的には造影剤到達直前のデータがあれば良いのだが、それ以前からＸ線の照射を開始し、これらは結果的には無効被曝となっていた。
【０００７】
一方、低線量で連続的あるいは間欠的に造影剤の到達を監視するためのモニタリングスキャンを実施して本計測のタイミングを決定する試みが従来から行われている。例えば、大動脈に関心領域（ＲＯＩ）を設定し、ＲＯＩ内のＣＴ値変化を逐次計算して造影剤の到達を監視していた。しかし、画像上に設定したＲＯＩのＣＴ値計算時間、制御系の応答時間など実際に撮影開始するまでのタイムラグが問題となった。さらにらせんスキャンの場合は，本計測の開始断面と監視する断面の位置関係にも制約が生じる。また、低線量とは云えＸ線を使ったモニタリングスキャンを実施することによる被曝が増加する点では好ましくなかった。パーフュージョン検査への応用を考えると、造影剤の立ち上がりをモニタリングしてから撮影を開始するため、立ち上がりそのものは十分には捉えられないと言う問題があった。
【発明の開示】
【発明が解決しようとする課題】
【０００８】
本発明の目的は、Ｘ線ＣＴ装置による被検体の造影検査時の無効被曝を低減するとともに血流の定量解析精度を向上させることの出来るＸ線ＣＴ装置と超音波検査装置を組み合せた血管造影計測撮影システムおよび方法を提供することである。
【課題を解決するための手段】
【０００９】
本発明では、Ｘ線ＣＴ装置による造影検査に際して、被検体の関心領域である撮影部位の上流であって撮影部位に先立って造影される造影剤流入経路の近傍のもう１つの関心領域であるモニタリング部位に超音波検査装置のプローブを配設し、被検体へのＸ線造影剤の注入に先立って超音波造影剤を注入し、超音波検査装置のプローブによってモニタリング部位への超音波造影剤の到達を検出し、それをＸ線ＣＴ装置による造影検査の計測撮影を開始するタイミングを決める信号としてＸ線ＣＴ装置に伝達することを特徴とする。
【００１０】
要約すると、本発明の特徴は、モニター用造影剤を本計測用造影剤の被検体への注入に所定時間先立って注入し、そのモニター用造影剤のモニタリング部位への到達を検出して、本計測用造影剤の撮影部位への到達時間をその到達の十分前に推定することである。さらに本発明では、前記Ｘ線ＣＴ装置は、血流量、血流速、平均通過時間等の血流循環パラメータの解析手段を有し、前記、Ｘ線ＣＴ装置で解析した血流循環パラメータを、前記超音波検査装置によって得られた血流速情報で補償することも特徴とする。
【発明の効果】
【００１１】
本発明によれば、造影剤が関心領域である撮影部位に到達する時間を、撮影部位に先立って造影されるモニタリング部位をモニタリングすることで造影剤到達の十分前に精度高く推定でき、無効被曝が低減できる。
【発明を実施するための最良の形態】
【００１２】
以下図面を参照して本発明の一実施例を説明する。
【００１３】
図１は本発明のＸ線ＣＴ装置と超音波検査装置を組み合せた血管造影計測撮影システムの一実施例の概略構成図である。
【００１４】
本発明のシステムはＸ線ＣＴ装置10、超音波検査装置30および造影剤注入装置40から構成される。
【００１５】
Ｘ線ＣＴ装置10は、システム全体を統括制御するホストコンピュータ11と、Ｘ線源12、Ｘ線制御部13、Ｘ線検出器14、計測回路15などの計測部を搭載した回転盤スキャナー（図示せず）およびその回転走査を制御するスキャナ制御部19と、被検体の位置決めやらせん走査時の搬送用被検体テーブル16およびテーブル制御部17と計測データの前処理、再構成処理をはじめとした各種画像処理を実施する画像処理装置18などからなる。
【００１６】
さらに、Ｘ線ＣＴ装置10には、超音波検査装置30からのＸ線の曝射およびデータ計測の計測動作の開始をトリガーする外部トリガー信号を受け入れる外部信号入力部21および上記外部信号入力部21からの外部トリガー信号およびホストコンピュータ11からのＸ線の曝射およびデータ計測の計測動作開始をトリガーする内部トリガー信号のいづれかを選択する計測モード制御部20が設けられている。なお、本実施例では計測モードはホストコンピュータ11によって外部トリガー制御モードが選択されている。なおまた、外部トリガー信号が入力されるまでは待機状態を維持する。タイムアウト時間の設定が必要なことは言うまでもない。なおまた、トリガー信号の選択を実行する計測モード制御部20はソフトウェアで構成されてもよい。
【００１７】
Ｘ線ＣＴ装置10には、さらに血流解析部22が設けられている。超音波検査装置30は、超音波検査装置の基本構成であるプローブ、送受信回路、整相回路、Ｂモード検波回路、スキャンコンバータ、表示装置の他に、撮影信号の関心領域を設定するＲＯＩ設定部31、信号強度の閾値を設定する閾値設定回路33、撮影信号と閾値を比較する比較器32、関心領域内の撮影信号の変化を判定する微分器34、正負判定回路35、およびトリガー信号出力部36を備えている。
【００１８】
トリガー信号出力部36はトリガー信号１あるいは２を選択的に出力する。なお、本実施例ではトリガー信号１が選択されているものとする。超音波検査装置30にはさらに血流解析装置37が設けられている。造影剤注入装置40は超音波造影剤用41とＸ線造影剤用42とを別々に示してあり、それぞれの注入開始は注入時間制御部43によって制御される。
【００１９】
ここで、超音波検査装置による超音波造影剤の検知には、超音波反射信号の大きさの時間的変化を用いることが出来る。周知のように、造影剤からの反射信号の強度はモニタリング部位の組織や血流からの反射信号の強度よりはるかに大きいことが知られているからである。本実施例では、モニタリング部位を超音波検査装置の画面中央付近に表示させておき、そこにＲＯＩを設定し、ＲＯＩ内の各画素毎の超音波反射信号強度の和を予め設定した閾値と比較する手段により、閾値より大きくなったタイミングをもってトリガー信号１としている。また、モニタリング部位を超音波検査装置の画面中央付近に表示させておき、そこにＲＯＩを設定し、例えば、ＲＯＩ内の各画素毎の超音波反射信号強度の和をフレーム毎に記憶することにより、いわゆる時間濃度曲線（ＴＤＣ）を求め、その勾配が正より負になるタイミングをもって上記トリガー信号2とすることもできる。これらの場合、超音波検査装置のフレーム間隔は10ｍｓ-100ｍｓの間で自由に選択できるので、フレーム間隔が0.5〜1sのＣＴ撮影に比べて十分に時間精度がある。
【００２０】
超音波造影剤を用いた撮影を実施すると、図３(a),(b),(c),(d),(e)に示したように造影剤が関心領域に到達すると超音波反射信号強度が高くなり、閾値設定回路33で設定した閾値以上になると比較器32からのトリガー信号1の出力がHighとなり、閾値以下になるとLowとなる。トリガー信号2は信号強度の正負反転時、すなわち濃度変化のピークのタイミングでトリガー信号2を出力する。
【００２１】
本実施例における外部トリガーモードによる撮影手順を、頭部造影ダイナミック造影検査を例に説明する。本実施例ではモニタリング部位を頚動脈部とした。
【００２２】
ＣＴ撮影に先立って、操作者がプローブを操作してモニタリング部位を映像化する。ただし、安定した映像を得られるようにセッティングした後は、撮影室の外または放射線防護壁の裏手側に移動できるように被検体に容易に着脱可能な専用プローブを用いることが操作者の被曝低減の観点から望ましい。
【００２３】
さらに撮影開始に先立ち、操作者が撮影条件、再構成条件を設定すると、回転走査機構はスキャナを回転させ、所望の回転スピードになった段階でスキャナ制御装置19はホストコンピュータ11に撮影準備完了情報を通知する。テーブル制御部17は、らせんスキャンの場合は、あらかじめテーブル加速時間を考慮した位置に移動しておき、Ｘ線曝射開始位置で定常速度になるように制御する。ホストコンピュータ14は画像処理装置18に再構成条件に従ったパラメータを設定する。各コンポーネントの準備が完了した時点で、外部信号入力部21が有効となる。
【００２４】
造影剤注入器はデュアルインジェクタタイプを用い、一方には少量の超音波造影剤を、他方にはＸ線造影剤をセットしておく。インジェクタの造影剤注入開始ボタンを押すと、まずはじめに超音波造影剤が被検体に注入され、それに引き続きＸ線造影剤の注入を開始する。
【００２５】
静脈から注入した造影剤は、血流によって心臓に運ばれ、頚動脈を経由して関心領域である頭部に到達する。ここで図３(f),(g)に示したように、時間ｔ０で超音波造影剤を、時間ｔ１でＸ線造影剤を注入したとする。両注入の時間間隔（ｔ１−ｔ０）は注入時間制御部43で操作者によって設定される。モニタリング部位である頚動脈部にはまず超音波造影剤が到達し、(a)に示すような濃度変化を示す。Ｘ線造影剤は、超音波造影剤に遅れて頚動脈部に到達し（図示せず）、関心領域であるＣＴ撮影部位にも同様に遅れて到達し、同図(b)に示した濃度変化を示す。これらの造影剤濃度変化は、それぞれ対応するＸ線ＣＴ装置10および超音波検査装置30では同図(c)の信号強度変化として観察することができる。ここで、超音波検査装置の信号強度が閾値Ｔを越えた時点ｔ２でトリガー信号１がHighとなり、これを基準とすれば関心領域にＸ線造影剤が到達する時間ｔ４までの差(t4-t2)だけＸ線曝射までの余裕ができるため、システム側の応答時間を考慮してもｔ４までには十分に撮影を開始できる。また、頚動脈から頭部関心領域までの血管経路長は静脈からの経路長に比べ短く、造影剤の循環に大きく影響する心臓などを通過した後のため、到達時間を推定するにしても被検体によるばらつきは僅かで、誤差が小さくなることが容易に推察できる。従って、t1-t0は経験的に決定する必要があるが、これはシステムの応答時間等を考慮して決定すればよい。例えば、トリガー信号出力からＸ線曝射ｔ３までのタイミングが３秒とすれば、Ｘ線造影剤を超音波造影剤に４秒遅れて注入すれば、ＣＴ撮影は造影剤到達の約１秒前（頚動脈から頭部関心領域までの造影剤移動時間も含めて）から開始されることになる。
【００２６】
超音波造影剤がモニタリング部位に到達し、トリガー信号がＸ線ＣＴ装置10に入力されると、計測モード制御部20はあらかじめ設定された遅延時間後に計測動作の開始指令を出し、ＣＴ計測が開始される。
【００２７】
撮影開始指示が出されると、ホストコンピュータ11から指示された強度のＸ線を対向配置されたＸ線検出器14に向かってＸ線源12から照射する。Ｘ線検出器14では被検体を透過してきたＸ線を検出し、固体検出器の場合はシンチレータの光をフォトダイオードで電気信号に変換した後、計測回路15でデジタルデータとして撮影データを取得する。撮影データは画像処理装置18で前処理、フィルタ処理、逆投影処理をはじめとした画像処理を施し、断層像を再構成する。再構成された画像は表示装置に表示され、診断用画像として観察者に供される。
【００２８】
なお、Ｘ線撮影時に超音波造影剤がアーチファクトなどを生じさせないため、すなわち超音波検査装置による造影剤検知時刻ｔ２直後に、１ＭＰａ以上の強力な超音波をモニタリング部位に照射して造影剤を完全に破壊するリフレッシュモードを設けてもよい。
【００２９】
また、上記撮影手順を引き続いて再試する場合には、超音波造影剤が十分に排出されずに組織にトラップされている場合があるので、ｔ０以前に上記のリフレッシュモードを付加することが望ましい。
【００３０】
さらに、本実施例では、超音波検査装置30を撮影開始の指示だけでなく、Ｘ線ＣＴ装置の血流解析部23によるパーフュージョン解析の精度向上にも利用する。超音波検査装置30の血流解析部37によって頚動脈の径と流速が求められ、また前述の立ち上がりと立ち下がり間の時間(t5-t2)から通過時間が得られる。パーフュージョン解析では入力関数として動脈のＴＤＣを超音波計測で得られた値で補償することが可能である。具体的には平均通過時間を前記通過時間で補償する。さらに、径と流速を用いて血流速ＣＢＦを補償するなどである。
【００３１】
なお、以上の実施例では頭部パーフュージョン検査の場合で説明したが、腹部造影らせん撮影時にも本発明は応用可能であり、その際は、同様に頚動脈をモニタリング部位に用いることも可能であるが、肝臓の場合は肝動脈、門脈などをモニタリングしても良い。プローブがＣＴ撮影断面に入ってしまうとアーチファクトの原因となる可能性があるため、プローブとしてはＸ線吸収計数の小さい材質をできるだけ用いるのが望ましい。
【００３２】
また、超音波とＸ線の双方でコントラスト強調可能な造影剤を用いることでより簡易なシステムを構築できる。
【００３３】
本実施例のシステムによれば、モニタリング部位へのモニタリング用超音波造影剤の到達を検出して、撮影部位へのＸ線造影剤の到達時間を推定し、到達時間の直前からＣＴ撮影を開始することができるため、無効被曝を低減しながら確実にＴＤＣを測定できる。また、撮影時間も短縮されるため、造影剤の使用量も減らすことが可能で、被験者への侵襲性も低くすることができる。さらには、超音波検査装置による測定値を用いてパーフュージョン解析の解析値を補償することで、解析精度を向上させることも可能である。
【図面の簡単な説明】
【００３４】
【図１】本発明の一実施例であるＸ線ＣＴ装置と超音波検査装置を組み合せた血管造影計測撮影システムの概略構成を示すブロック図。
【図２】図１中の超音波検査装置30の概略構成を示すブロック図。
【図３】上記実施例で利用される超音波造影剤およびＸ線造影剤の注入タイミング、それらのモニタリング部位、撮影部位における造影剤濃度変化、トリガー信号の生成およびＸ線曝射のタイミングを説明するタイムチャート
【符号の説明】
【００３５】
10  ・・・Ｘ線ＣＴ装置
20  ・・・計測モード制御部
21  ・・・外部信号入力部
22  ・・・血流解析部
30  ・・・超音波検査装置
36  ・・・トリガー信号出力部
37  ・・・血流解析部
40  ・・・造影剤注入装置
41  ・・・超音波造影剤注入装置
42  ・・・Ｘ線造影剤注入装置
43  ・・・注入時間制御部
【図１】
2005073764.tif 000003
【図２】
2005073764.tif 000004
【図３】
2005073764.tif 000005